(57)【要約】【課題】隣接する他の建築用パネルとの接続部分が、シンプルな形状となった建築用パネルを提供する。【解決手段】本発明は、表面板２と裏面板３との間に芯材４が充填された建築用パネル１である。表面板２及び裏面板３は、略矩形状の本体部２１，３１と、この本体部２１，３１の外縁から芯材４側に向けて突設された側面部２２，３２と、この側面部２２，３２の突出端縁から外側方に向けて突設された突出片２３，３３とを備えている。突出片２３，３３同士が重合された状態で表面板２及び裏面板３とが対向配置され、前記表面板２の本体部２１及び側面部２２と前記裏面板３の本体部３１及び側面部３２とに囲まれた部分に前記芯材４が充填されている。【選択図】図１
2013087420.tif 000002
【特許請求の範囲】
【請求項１】
表面板と裏面板との間に芯材が充填された建築用パネルであって、
前記表面板及び裏面板は、
略矩形状の本体部と、
この本体部の外縁から芯材側に向けて突設された側面部と、
この側面部の突出端縁から外側方に向けて突設された突出片と
を備え、
前記突出片同士が重合された状態で表面板及び裏面板とが対向配置され、前記表面板の本体部及び側面部と前記裏面板の本体部及び側面部とに囲まれた部分に前記芯材が充填されている
ことを特徴とする建築用パネル。
【請求項２】
前記表面板の本体部及び前記裏面板の本体部が、いずれも化粧面を構成している
ことを特徴とする請求項１記載の建築用パネル。
【請求項３】
前記表面板と前記裏面板とが、いずれも略同じ形状に形成されたものである
ことを特徴とする請求項１又は請求項２のいずれかに記載の建築用パネル。
【発明の詳細な説明】
【技術分野】
【０００１】
本発明は、表面板と裏面板との間に芯材が充填された建築用パネルに関する。
【背景技術】
【０００２】
従来、表面板と裏面板との間に芯材が充填された建築用パネルが知られている（例えば特許文献１参照）。
【０００３】
この特許文献１記載の建築用パネルは、表面板と、裏面板と、この表面板と裏面板との間に充填された芯材とを備えており、いわゆるサンドイッチパネルにより構成されている。この種の建築用パネルは、幅方向の一方の端部に嵌合凸部が形成され、他方の端部に嵌合凹部が形成されている。この建築用パネルは、幅方向に隣接する他の建築用パネルに対し、嵌合凸部と嵌合凹部とが嵌合することで連結される。
【０００４】
この嵌合凸部及び嵌合凹部の形状を形成するには、表面板及び裏面板の端部を屈曲したり折り返したりして複数箇所で曲げられ、その曲げられた端部同士を対向させることで形成される。
【先行技術文献】
【特許文献】
【０００５】
【特許文献１】特開平７−２４７６５６号公報
【発明の概要】
【発明が解決しようとする課題】
【０００６】
このように特許文献１の建築用パネルは、隣接する他の建築用パネルに対して接続するには、嵌合凹部と嵌合凸部とが必要である。ところが、この嵌合凹部及び嵌合凸部は、上述のように、表面板及び裏面板の両端部を複雑に曲げ加工することで形成されているため、加工に手間が掛かり、この結果、製造コストを抑えにくいという問題がある。
【０００７】
本発明は、上記事情に鑑みてなされたものであり、その目的とするところは、隣接する他の建築用パネルとの接続部分が、シンプルな形状となった建築用パネルを提供することにある。
【課題を解決するための手段】
【０００８】
本発明は、表面板２と裏面板３との間に芯材４が充填された建築用パネル１であって、前記表面板２及び裏面板３は、略矩形状の本体部２１，３１と、この本体部２１，３１の外縁から芯材４側に向けて突設された側面部２２，３２と、この側面部２２，３２の突出端縁から外側方に向けて突設された突出片２３，３３とを備え、前記突出片２３，３３同士が重合された状態で表面板２及び裏面板３とが対向配置され、前記表面板２の本体部２１及び側面部２２と前記裏面板３の本体部３１及び側面部３２とに囲まれた部分に前記芯材４が充填されていることを特徴とする。
【０００９】
このような構成によれば、隣接する他の建築用パネル１に接続するに当たり、裏面板３の突出片３３と表面板２の突出片２３とが重合された部分を用いて、設置することができる。すなわち、表面板２及び裏面板３の形状を、側面部２２，３２と突出片２３，３３とを設けた単純な形状とすることができ、製造が容易となる。また、表面板２と裏面板３とが同じような構造となっているため、表裏逆にして使用することもできる。
【００１０】
またこの建築用パネル１において、前記表面板２の本体部２１及び前記裏面板３の本体部３１が、いずれも化粧面２１０，３１０を構成していることが好ましい。
【００１１】
このような構成によれば、表面板２の化粧面２１０で建物外壁を形成しつつ、裏面板３の化粧面３１０で室内の壁面を形成することも可能である。また施工時に、表裏を選択して使用することができるため、設置場所に応じて表裏を入れ替えることもできて、一種類の建築用パネル１で多様なデザインを形成することも可能である。
【００１２】
またこの建築用パネル１において、前記表面板２と前記裏面板３とが、いずれも略同じ形状に形成されたものであることが好ましい。
【００１３】
このような構成によれば、シンプルな形状の表面板２と裏面板３とを同じ成形機で製造することができるため、装置のコストが低減できるだけでなく、表面板２及び裏面板３についてまとめて製造することもできるようになり、より一層コストダウンが可能となる。
【発明の効果】
【００１４】
本発明の建築用パネルによれば、隣接する他の建築用パネルとの接続部分を、シンプルな形状とすることができる。
【図面の簡単な説明】
【００１５】
【図１】実施形態１の建築用パネルの斜視図である。
【図２】実施形態１の建築用パネルの断面図である。
【図３】実施形態１の建築用パネルの取付状態を示す斜視図である。
【図４】実施形態１の建築用パネルの取付状態を示す要部側断面図である。
【図５】実施形態２の建築用パネルの斜視図であり、
【図６】実施形態３の建築用パネルの斜視図である。
【図７】本実施形態の建築用パネルの異なる取り付け状態を示す要部側断面図である。
【図８】（ａ）は芯材の変形例を示す斜視図であり、（ｂ）はさらに他の芯材の変形例を示す斜視図である。
【発明を実施するための形態】
【００１６】
以下、本発明の実施形態について添付図面に基づいて説明する。なお、以下の説明においては、便宜上、図１において矢印Ａで示す方向を幅方向とし、この幅方向に直角で且つパネルに沿った方向Ｂを長さ方向と定義し、厚み方向Ｃを前後方向と定義する。
【００１７】
実施形態１の建築用パネル１は、建物の外壁材として用いられる。本実施形態の建築用パネル１は、主に、横張り用の建築用パネル１として用いられるが、設置箇所に応じて９０°回転され、縦張り用の建築用パネル１としても用いられる。
【００１８】
なお、本実施形態の建築用パネル１は、外壁材としてだけでなく、内壁材や屋根材や天井材として用いられてもよい。
【００１９】
本実施形態の建築用パネル１は、図２に示されるように、第１の金属外皮により構成された表面板２と、表面板２に対向配置されると共に第２の金属外皮により構成された裏面板３と、この表面板２と裏面板３との間に配設された芯材４とを備えている。本実施形態の建築用パネル１は、正面視矩形状のサンドイッチパネルにより構成されている。
【００２０】
表面板２及び裏面板３は、例えば厚み０．３５〜０．８ｍｍ程度の金属板を、プレス加工等の曲げ加工を施すことにより形成される。この表面板２及び裏面板３の母材となる金属板は、亜鉛めっき鋼板や塗装鋼板、ガルバリウム鋼板（登録商標）、ステンレス鋼板等により構成される。
【００２１】
表面板２は、図１に示されるように、主体を構成する平面視略矩形状の本体部２１と、この本体部２１の外縁から芯材４側に向けて突設された側面部２２と、この側面部２２の芯材４側の突出端縁から外側方に向けて連設された突出片２３とを備えている。表面板２は、この本体部２１及び側面部２２及び突出片２３が、曲げ加工により一体に成形されている。
【００２２】
本体部２１は、その前面が化粧面２１０を構成している。本体部２１は、建築用パネル１が外壁材として使用される場合、建物の外壁面を構成する。本体部２１は、平面視略矩形状（正方形形状を含む）をしており、その化粧面２１０が平坦面となっている。
【００２３】
なお化粧面２１０としては、例えば、断面波形のリブ形状を全面に亘って施してもよいし、部分的にエンボス加工を施してもよいし、また各種の色を塗装してもよい。また、鏡面加工を施してもよいし、シボ加工を施してもよい。
【００２４】
側面部２２は、矩形状の金属板の外周縁部を芯材４側に曲げ加工することで形成されている。本実施形態の側面部２２は、矩形状の本体部２１の四辺の各外縁から芯材４側に屈曲することで形成されている。各側面部２２は、本体部２１に連続しており、本体部２１との境界においては溶接により接続されたような継ぎ目が存在しない。しかも各側面部２２同士は、図１に示されるように、周方向に一体となっている。これにより側面部２２同士により形成されるコーナー部分２４（出隅部分）は、本体部２１及び側面部２２が連続した滑らかな角部２４０となっている。
【００２５】
突出片２３は、図１，２に示されるように、側面部２２における芯材４側の端縁を、外側に向けて且つ本体部２１と略平行するよう曲げ加工することで形成されている。すなわち、突出片２３は、側面部２２の芯材４側の端縁から外側方に向けて屈曲形成されている。そのため各突出片２３は、側面部２２に連続しており、側面部２２との境界においては溶接により接続されたような継ぎ目が存在しない。なお、突出片２３同士でなすコーナー部分（各突出片２３の長手方向の両端部分）には切欠部２５が設けられており、各突出片２３同士は周方向に連続せずに独立している。
【００２６】
裏面板３は、表面板２と同じような構造となっており、図２に示されるように、平面視矩形状の本体部３１と、この本体部３１の外縁から芯材４側に向けて突設された側面部３２と、この側面部３２の芯材４側の端縁から外側方に向けて連設された突出片３３とを備えている。この裏面板３は、表面板２と同様、本体部３１及び側面部３２及び突出片３３が、曲げ加工により一体に成形されている。また裏面板３は、各側面部３２から突設された突出片３３同士でなすコーナー部分（各突出片３３の長手方向の両端部分）に、表面板２と同様、切欠部３５が設けられている。
【００２７】
本実施形態の裏面板３は、表面板２と同じ金属外皮により構成されており、表面板２と略同じ形状となっている。本実施形態の裏面板３は、表面板２に対し、化粧面３１０の態様が異なっている。
【００２８】
裏面板３の化粧面３１０は、表面板２の化粧面２１０とは異なる色に塗装されている。本実施形態の建築用パネル１は、表面板２の化粧面２１０と裏面板３の化粧面３１０とが互いに異なる化粧面を構成することで、ユーザーがいずれかの化粧面を選択することができるよう構成されている。これにより、一種類の建築用パネル１で、多種のデザインを形成することができる。
【００２９】
なお、裏面板３のその他の構成については、表面板２と同じであるため説明は省略する。
【００３０】
芯材４は、表面板２と裏面板３との間に充填される。具体的に芯材４は、図２に示されるように、突出片２３，３３同士を重ね合わせて表面板２の本体部２１と裏面板３の本体部３１とを対向配置した状態で、本体部２１，３１及び側面部２２，３２に囲まれた閉塞空間内に収容配置される。
【００３１】
芯材４は、例えば、ロックウールやグラスウールなどの無機質断熱材や、ウレタンフォーム・スチレンフォーム・フェノールフォーム・ポリイソシアヌレートフォーム等の合成樹脂発泡体からなる断熱材や、石膏ボード・ケイ酸カルシウム板・水酸化アルミニウム板等の無機質板などが用いられる。また、ペンタンからなる発泡剤により構成されたフロン不使用の発泡断熱材を用いてもよい。芯材４としては、これら複数種類を組み合わせて形成してもよいし、どれか一つだけを用いてもよい。
【００３２】
あるいは芯材４は、図８（ａ）（ｂ）に示されるように、ハニカム構造体４１により構成されていてもよい。ハニカム構造体４１は、断面角型あるいは断面円形の貫通孔４２が敷き詰められた構造体である。ハニカム構造体４１は、紙、ダンボール、プラスチック等により構成される。ハニカム構造体４１は、各貫通孔４２が断面六角形状のものに限定されない。例えば図８（ｂ）のように、ダンボールの断面のように波形隔壁により形成されたものであってもよい。また、ハニカム構造体４１は、図８（ａ）のように、貫通孔４２の連通方向が、表側金属外皮２及び裏側金属外皮３に直角な方向（言い換えると、前後方向）に向くよう配置されてもよい。あるいは、図８（ｂ）のように、貫通孔４２の連通方向が、サンドイッチパネル１の長さ方向と平行になるよう配置されていてもよいし、特に図示しないが、幅方向と平行になるよう配置されてもよい。
【００３３】
芯材４がハニカム構造体４１により構成されると、軽量化が図れると共にコスト的にも安価に製造可能である。
【００３４】
このような建築用パネル１は、図１に示されるように、主体を構成する平面視略矩形状のパネル主体部１１と、このパネル主体部１１の外周縁に設けられた接続部１２とにより構成される。本実施形態の接続部１２は、パネル主体部１１の厚み方向の略中間部から側方に向けて突出しており、当該パネル主体部１１の外周全周に亘って設けられている。本実施形態のパネル主体部１１は、表面板２の本体部２１及び側面部２２と、裏面板３の本体部３１及び側面部３２と、芯材４とにより構成されている。また接続部１２は、表面板２の突出片２３と、裏面板３の突出片３３とを重ね合わせることにより構成されている。
【００３５】
このような構成の本実施形態の建築用パネル１は、図３，４に示されるように取り付けられる。以下、施工者が本実施形態の建築用パネル１を取り付けて、外壁面を構成する場合につき説明する。
【００３６】
本実施形態の建築用パネル１は、水平方向に所定のピッチで離設された縦胴縁５に取り付けられる。縦胴縁５は、図３に示されるように、例えば角柱により構成されており、床スラブ上に立設される。なお、縦胴縁５は角柱でなくてもよく、例えばＨ型鋼やＣ型鋼やアングル材などにより構成されていてもよい。
【００３７】
この縦胴縁５に本実施形態の建築用パネル１を取り付ける。まず施工者は、縦胴縁５の建築用パネル１を取り付ける面（以下、取付面５１という）に取付部材６を固設する。施工者は、縦胴縁５の長手方向に沿って長尺な取付部材６を配置し、縦胴縁５の長手方向に対し直角となるよう別の取付部材６を配置する。なお、縦胴縁５の長手方向とは直交する方向に架設される取付部材６は、上下方向の取り付けピッチが、パネル主体部１１の幅方向の長さに対応する長さとなるよう取り付けられる。詳しく説明すると、取付部材６における後述のパネル取付部６４の対向間の距離が、一の建築用パネル１の裏面板３の側面部３２間の距離と略同寸法となるよう、取付部材６が配設される。
【００３８】
ここで取付部材６は、図４に示されるように、断面ハット状に形成されている。取付部材６は、建築用パネル１の接続部１２の後面に当接又は近接対向する断面略コ字状のパネル取付部６１と、このパネル取付部６１の端部から側方に連設された固定部６２とを備えている。パネル取付部６１は、前後方向の長さが、パネル主体部１１の厚みの約半分の長さ（すなわち、裏面板３の側面部３２の前後方向の長さ）と略同じ寸法に形成され、前後方向に直交する方向の長さ（幅寸法）が接続部１２の突出長さと略同じ寸法に形成されている。パネル取付部６１には、図３に示されるように、固着具挿通孔が所定のピッチで穿設されている。また、固定部６２は、縦胴縁５の取付面５１に固定される部位であり、溶接や固着具等を介して縦胴縁５に固定される。
【００３９】
取付部材６を縦胴縁５の取付面５１に取り付けた後、施工者は、当該取付部材６に本実施形態の建築用パネル１を取り付ける。施工者は、図４に示されるように、建築用パネル１の接続部１２を取付部材６のパネル取付部６４の前面に当接するよう建築用パネル１を配置する。この状態で、隣接する他の建築用パネル１の接続部１２を、既に配置された建築用パネル１の接続部１２の前面に当接し、この後、前方から固着具８を螺合する。固着具８は、２つの接続部１２、パネル取付部６１の順に貫通し、これらを固着一体化する。施工者は、取付部材６の長手方向に沿って、固着具８を所定のピッチで複数箇所に螺合する。
【００４０】
このとき、一の建築用パネル１において、幅方向両側に位置する接続部１２の長手方向両端と、長さ方向両側に位置する接続部１２の長手方向両端とに位置する各コーナー部分には切欠部（表面板２の切欠部２５と裏面板の切欠部３５）が設けられている。このため、図３に示されるように、長さ方向及び幅方向に建築用パネル１を並設しても切欠部２５，３５同士が重なり合ってしまい、このままではこの部分だけ取付部材６が露出してしまう。このため、本実施形態においては、隣接する建築用パネル１のコーナー部分２４が集まる箇所に、図３に示されるような、平面視十字状の閉塞体７が取り付けられる。この閉塞体７は、例えばゴム板により形成され、切欠部２５，３５を覆うよう水密的に装着される。
【００４１】
以上のようにして、長さ方向及び幅方向に他の建築用パネル１を順に取り付けてゆく。このとき、建築用パネル１の幅方向の一方の端部の接続部１２が、すぐ隣の他の建築用パネル１の接続部１２の前面に当接し、且つ、幅方向の他方の端部の接続部１２が、すぐ隣のさらに他の建築用パネル１の接続部１２の後面に当接するようにして、設置される。また建築用パネル１の長さ方向の一方の端部の接続部１２が、すぐ隣の他の建築用パネル１の接続部１２の前面に当接し、且つ、長さ方向の他方の端部の接続部１２が、すぐ隣のさらに他の建築用パネル１の接続部１２の後面に当接するようにして、順次設置される。そして必要に応じて、パネル主体部１１の端面間で且つ接続部１２の前面で形成される目地にコーキング材（図示せず）が配設される。これにより建物の外壁面が形成される。
【００４２】
また、本実施形態の建築用パネル１は、複数並設された状態から、一つの建築用パネル１だけを取り外して、別の新しい建築用パネル１に取り替える施工が行いやすいような構造になっている。以下、設置された状態の複数の建築用パネル１から、一つの建築用パネル１だけを取り外す場合につき説明する。
【００４３】
まず、対象となる建築用パネル１を固定する固着具８を全て取り外す。この後、パネル主体部１１の外周部の４つの接続部１２のうち、隣接する建築用パネル１の接続部１２よりも前側に位置する２つの接続部１２を、共に前方に引っ張る。この状態で、前記２つの接続部１２により形成されるコーナー部分２４に向けて、当該建築用パネル１を前方に引き出しながらスライド移動させる。これにより、複数並設された建築用パネル１から、一つだけの建築用パネル１を取り外すことができる。
【００４４】
このような構成の本実施形態の建築用パネル１は、隣接する建築用パネル１と接続する際に用いられる接続部１２が、表面板２及び裏面板３の側面部２２，３２の端縁から突設された突出片２３，３３により構成されているため、従来の嵌合構造よりも単純な構造となっており、シンプルな形状となっている。このため本実施形態の建築用パネル１は、容易に製造することができるようになり、製造コストを低減することができる。
【００４５】
また本実施形態の建築用パネル１は、表面板２と裏面板３とが、いずれも略同じ形状に形成されたものであるため、表面板２と裏面板３とを成形するに当たり、プレス機などの成形機として同じ成形機を用いることができ、この結果、装置のコストを低減することができる。その上、表面板２及び裏面板３についてまとめて製造することもできるようになり、より一層コストダウンが可能となる。
【００４６】
また本実施形態の建築用パネル１は、表面板２と裏面板３とが異なる化粧面２１０，３１０を有しているため、表面板２の化粧面２１０で建物外壁を形成しつつ、裏面板３の化粧面３１０で室内の壁面を形成するというようなことも可能である。また施工時に、表裏を選択して使用することができるため、設置場所に応じて化粧面２１０，３１０を入れ替えることもできて、一種類の建築用パネル１で多種多様なデザインの壁面等を形成することも可能である。
【００４７】
また、本実施形態の建築用パネル１は、パネル主体部１１の外周端面から接続部１２が突出するような形状となっているため、複数の建築用パネル１を設置した後に、一つだけを取り外すことができ、補修作業が容易となる。
【００４８】
次に、実施形態２について図５に基づいて説明する。なお、本実施形態は実施形態１と大部分において同じであるため、同じ部分においては説明を省略し、主に異なる部分について説明する。
【００４９】
実施形態２の建築用パネルは、実施形態１の建築用パネルとは異なり、パネル主体部１１から突出した接続部１２が、パネル主体部１１の幅方向の両端に設けられており、長さ方向の両端には設けられていない。
【００５０】
本実施形態の建築用パネル１の表面板２及び裏面板３は、略矩形状の本体部２１，３１と、この本体部２１，３１の四辺の各外縁から芯材４側に向けて突設された側面部２２，３２と、四辺の側面部２２，３２のうちパネル幅方向両端の側面部２２，３２の突出端縁から外側方に向けて突設された突出片２３，３３とを備えている。この建築用パネル１の芯材４は、表面板２の本体部２１及び側面部２２と、裏面板３の本体部３１及び側面部３２とに囲まれた部分に充填されている。
【００５１】
建築用パネル１の長さ方向両端の側面部２２，３２は、図５（ｂ）に示されるように、表面板２の側面部２２の端縁と、裏面板３の側面部３２の端縁とが離間するよう構成されている。
【００５２】
このような構成の建築用パネル１も、実施形態１と同様に、取り付ける際には接続部１２を用いることができる。つまり嵌合構造が必要とはならないため、表面板２及び裏面板３の形状を、シンプルな形状とすることができ、製造が容易となる。また、表面板２と裏面板３とが同じような構造となっているため、表裏逆にして使用することもできる。
【００５３】
しかも本実施形態の建築用パネル１も、実施形態１と同様に、表面板２及び裏面板３の本体部２１，３１が化粧面２１０，３１０を構成する。なお、表面板２及び裏面板３の本体部２１，３１は、化粧面２１０，３１０を構成しなくてもよい。
【００５４】
次に実施形態３について図６に基づいて説明する。なお、本実施形態は実施形態１と大部分において同じであるため、同じ部分においては説明を省略し、主に異なる部分について説明する。
【００５５】
実施形態３の建築用パネルは、実施形態２と同様、パネル主体部１１から突出した接続部１２が、パネル主体部１１の幅方向の両端に設けられており、長さ方向の両端には設けられていない点で実施形態１とは異なっている。なお本実施形態の建築用パネル１は、パネルの長さ方向の両端に位置する側面部２２，３２が設けられていない点で、実施形態２の建築用パネル１とは異なっている。
【００５６】
本実施形態の建築用パネル１の表面板２及び裏面板３は、略矩形状の本体部２１，３１と、この本体部２１，３１の幅方向両端の各外縁から芯材４側に向けて突設された側面部２２，３２と、この側面部２２，３２の突出端縁から外側方に向けて突設された突出片２３，３３とを備えている。この建築用パネル１の芯材４は、表面板２の本体部２１及び側面部２２と、裏面板３の本体部３１及び側面部３２とに囲まれた部分に充填されている。
【００５７】
このような構成の建築用パネル１も、実施形態１，２と同様に、取り付ける際には接続部１２を用いることができる。つまり嵌合構造が必要とはならないため、表面板２及び裏面板３の形状を、シンプルな形状とすることができ、製造が容易となる。また、表面板２と裏面板３とが同じような構造となっているため、表裏逆にして使用することもできる。
【００５８】
しかも本実施形態の建築用パネル１も、実施形態１，２と同様に、表面板２及び裏面板３の本体部２１，３１を化粧面とすることができる。
【００５９】
ところで実施形態１〜３の建築用パネル１においては、上記のような取付方法とは異なり、図７に示されたような別の取付構造とすることもできる。
【００６０】
本使用例では、実施形態１〜３の取付構造において用いられた取付部材６とは、異なる取付部材６３が用いられる。この取付部材６３は、パネル取付部６４の幅寸法が、建築用パネル１の接続部１２の突出長さの約２倍の長さとなるよう形成されている。
【００６１】
施工者は、取付部材６３のパネル取付部６４の前面に、接続部１２が当接するよう建築用パネル１を配置する。次いで、他の建築用パネル１を、その接続部１２が、既に配置された建築用パネル１の接続部１２に隣り合うよう配置する。この状態で、隣り合う一対の接続部１２，１２上に帯状の金属板６５を配置し、固着具８を螺合する。固着具８を螺合することにより、両接続部１２，１２を金属板６５と取付部材６３との間で挟持固定し、建築用パネル１を縦胴縁５に固定する。
【００６２】
本使用例では、隣接する建築用パネル１が、接続部１２同士が重合しない状態で固定されているため、実施形態１〜３による取り付け構造よりも、設置後の取り外しが容易となる。
【００６３】
なお、実施形態１〜３の建築用パネル１は、表面板２と裏面板３とが同じ形状となっていたが、本発明においては、表面板と裏面板とが同じ形状となっていることは必ずしも必要な構成ではない。
【００６４】
また実施形態１〜３の建築用パネル１は、表面板２と裏面板３との本体部２１，３１が化粧面を有していたが、本発明においては、化粧面は必ずしも必要な構成ではない。すなわち、例えば、建築用パネルにより構成された室内側壁面に、さらに内装材を付設してもよい。
【符号の説明】
【００６５】
１      建築用パネル
１１    パネル主体部
１２    接続部
２      表面板
２１    本体部
２１０  化粧面
２２    側面部
２３    突出片
２４    コーナー部分
２４０  角部
２５    切欠部
３      裏面板
３１    本体部
３１０  化粧面
３２    側面部
３３    突出片
３４    コーナー部分
３４０  角部
３５    切欠部
４      芯材
５      縦胴縁
５１    取付面
６      取付部材
６１    パネル取付部
６２    固定部
６３    取付部材
６４    パネル取付部
６５    固定プレート
７      閉塞体
８      固着具
【図１】
2013087420.tif 000003
【図２】
2013087420.tif 000004
【図３】
2013087420.tif 000005
【図４】
2013087420.tif 000006
【図５】
2013087420.tif 000007
【図６】
2013087420.tif 000008
【図７】
2013087420.tif 000009
【図８】
2013087420.tif 000010